(57)【要約】【課題】温度条件下での熱融着による磁性シートの接着を防止し、貯蔵タンクの内壁面を汚すことなく強固に廂状の覆い部材を固定出来る大型浮屋根式石油貯蔵タンクの覆い部材の取付け構造を提供することを目的とする。【解決手段】覆い部材１２の基端部１２ａは、前記内壁面１１ａに対して磁性シート１３及び樹脂製フィルム１４を介在させて着脱可能に取付けてあり、覆い部材１２の基端部１２ａの端面と磁性シート１３とは、接着剤等を介して貼付けてある。磁性シート１３は、厚さを１〜２ｍｍとし、また樹脂製フィルム１４としては、５０μｍ  〜２００μｍ  の厚さのポリエチレンフィルムを使用し、樹脂製フィルム１４の内壁面１１ａの表面側は、縞状で平行な状態の凹凸状に形成するのが好ましい。【選択図】  図１
2004262516.tif 000002
【特許請求の範囲】
【請求項１】
貯蔵タンクと貯蔵液上に浮遊させた浮屋根との間隙に、タンクシール部材を設けると共に、浮屋根上に貯蔵タンクの内壁面に向かってウェザーシールドを取付け、前記ウェザーシールド先端上方の貯蔵タンク内壁面に、前記浮屋根と貯蔵タンクの内壁面との間隙を覆う廂状の覆い部材を磁性シートを介して取付けて成る大型浮屋根式石油貯蔵タンクの覆い部材の取付け構造において、前記廂状の覆い部材に装着した磁性シートと貯蔵タンクの内壁面との間に樹脂製フィルムを介在させ、前記覆い部材を着脱かつスライド可能に取付けたことを特徴とする大型浮屋根式石油貯蔵タンクの覆い部材の取付け構造。
【請求項２】
前記樹脂製フィルムは、貯蔵タンクの内壁面側となる表面に凹凸を形成した請求項１に記載の大型浮屋根式石油貯蔵タンクの覆い部材の取付け構造。
【請求項３】
前記覆い部材を軽量部材により形成した請求項１または２に記載の大型浮屋根式石油貯蔵タンクの覆い部材の取付け構造。
【請求項４】
前記覆い部材の表面幅方向と、前記磁性シートの上縁部とに、長手方向に沿って所定の間隔で雨水をガイドするガイド溝を形成した請求項１，２または３に記載の大型浮屋根式石油貯蔵タンクの覆い部材の取付け構造。
【請求項５】
前記磁性シートの継ぎ目部の上縁部に、雨水のガイド部材を取付けた請求項１，２，３または４に記載の大型浮屋根式石油貯蔵タンクの覆い部材の取付け構造。
【請求項６】
前記覆い部材の断面形状は、上下面とも鉛直下方に傾斜した廂状に形成し、前記磁性シートの接着面側の高さを、廂状の張出し長さと同等以上で、かつ張出し傾斜面側の高さ以下に設定した請求項１，２，３，４または５に記載の大型浮屋根式石油貯蔵タンクの覆い部材の取付け構造。
【発明の詳細な説明】
【０００１】
【発明の属する技術分野】
この発明は、大型浮屋根式石油貯蔵タンクの覆い部材の取付け構造に係わり、更に詳しくは貯蔵タンクの内壁面に磁性シートを介して取付ける雨滴浸入防止用の覆い部材の取付け構造の改良に関するものである。
【０００２】
【従来の技術】
従来、原油等を貯蔵または備蓄する大型浮屋根式石油貯蔵タンクの構造としては、例えば、図６の地下石油貯蔵タンクに示すように、地盤Ｇに埋設された地下石油貯蔵タンク１の側壁（側板）２の内壁面２ａと、貯蔵液（原油等）Ｗ上に浮遊する浮屋根（ポンツーン）３の外周面との間には間隙Ｈがある。この間隙Ｈには、タンクシール５が取付けられており、雨水等が貯蔵タンク１の内壁面２ａを伝わってタンクシール５に流れ込むのを防止するために、タンクシール５上には、金属板等で形成されたウェザーシールド４が取付けられている。
【０００３】
然しながら、地下石油貯蔵タンク１の側壁（側板）２の形態が円形状であるにもかかわらず、ウェザーシールド４は多角形の板材を順次接合させて構成した集合体であるため、貯蔵タンク１の円形状の内壁面２ａとウェザーシールド４の先端の直線部が一致せず間隙ｈが生じて、この間隙ｈから雨水が浸入すると言う問題があった（例えば、特許文献１参照）。
【０００４】
【特許文献１】
特開２００１−４８２８６号公報（第２〜３頁、図１）
【０００５】
【発明が解決しようとする課題】
そこで本願発明者等はかかる従来の問題点に着目し、種々の研究及び実験の結果、上記特許文献１の特開２００１−４８２８６号公報に開示されているように、タンク内壁面２ａとウェザーシールド４の先端との隙間から貯蔵タンク１内に雨水が浸入するのを確実に防止することが出来る大型浮屋根式石油貯蔵タンクの構造を提案した。  この提案した発明は、図７に示すように、ウェザーシールド４の先端上方の貯蔵タンク内壁面２ａに、前記浮屋根３と貯蔵タンク内壁面２ａとの間隙Ｈを覆う廂状の覆い部材７を磁性シート８を介して着脱可能に取付けたものである。
【０００６】
【発明が解決しようとする課題】
然しながら、上記のような発明を実際に実施した結果、新たな課題があることが判った。即ち、
覆い部材７を磁性シート８を介して貯蔵タンク内壁面２ａに固定する際には、磁性シート８の磁力により固定しているが、夏季の高温下で使用していると、磁性シート８が溶解し、この溶解した磁性シート８の樹脂成分が取付け面である貯蔵タンク内壁面２ａの塗膜に接着して脱着が困難になる場合がある。また、これを無理に剥がそうとした場合、磁性シート８が破れて使用出来なくなる場合があることが判った。
【０００７】
また、一方磁着力の弱い磁性シート８を用いた場合には、台風の時や冬季季節風等の強風時に、発泡材等で形成された軽量の覆い部材７は吹き飛んでしまい長期の使用に耐えることが出来ない場合があることが判った。
【０００８】
この発明は、かかる従来の問題点に着目して案出されたもので、覆い部材の取付け部における温度条件下での熱融着による磁性シートの接着を防止し、貯蔵タンクの内壁面を汚すことなく強固に廂状の覆い部材を着脱可能に固定することが出来る大型浮屋根式石油貯蔵タンクの覆い部材の取付け構造を提供することを目的とするものである。
【０００９】
【課題を解決するための手段】
この発明は、上記目的を達成するため、廂状の覆い部材に装着した磁性シートと貯蔵タンクの内壁面との間に樹脂製フィルムを介在させ、前記覆い部材を着脱かつスライド可能に取付けたことを要旨とするものである。
【００１０】
前記樹脂製フィルムは、貯蔵タンクの内壁面側となる表面に凹凸を形成し、また前記覆い部材を軽量部材により形成するものである。
【００１１】
また、前記覆い部材の表面幅方向と、前記磁性シートの上縁部とに、長手方向に沿って所定の間隔で雨水をガイドするガイド溝を形成し、前記磁性シートの継ぎ目部の上縁部に、雨水のガイド部材を取付ける。
【００１２】
更に、前記覆い部材の断面形状は、上下面とも鉛直下方に傾斜した廂状に形成し、前記磁性シートの接着面側の高さを、廂状の張出し長さと同等以上で、かつ張出し傾斜面側の高さ以下に設定するのが好ましい。
【００１３】
このように、廂状の覆い部材に装着した磁性シートと貯蔵タンクの内壁面との間に樹脂製フィルムを介在させて着脱可能に取付けたことで、設置部の温度条件下での熱融着による磁性シートの接着を防止し、貯蔵タンク内壁面を汚すことなく強固に廂状の覆い部材を着脱可能に固定することが出来るものである。
【００１４】
また、覆い部材の断面形状を、所定の寸法に形成することで、強風時の脱落を有効に防止出来るものである。
【００１５】
【発明の実施の形態】
以下、添付図面に基づき、この発明の実施形態を説明する。
【００１６】
図１は、この発明の第１実施形態を示す廂状の覆い部材の取付け状態の一部断面図、図２は図１のＡーＡ矢視正面図、図３は覆い部材の継ぎ目部の拡大正面図を示し、１１ａは貯蔵タンク１１の鋼板等により形成され、ウレタン塗装された内壁面、１２はウレタンフォーム材やポリエチレンフォーム材等の発泡材から成る軽量部材により形成された廂状の覆い部材を示し、この覆い部材１２は、断面平行四辺形状に形成されると共に、基端部１２ａと先端部１２ｂとの切断面は平行で、かつ上下面１２ｃ，１２ｄに対しては斜めに形成されている。
【００１７】
そして、覆い部材１２の基端部１２ａは、前記内壁面１１ａに対して磁性シート１３及び樹脂製フィルム１４を介在させて着脱かつスライド可能に取付けてあり、覆い部材１２の基端部１２ａの端面と磁性シート１３とは、接着剤等を介して貼付けてある。
【００１８】
前記磁性シート１３は、厚さを１〜２ｍｍとし、また樹脂製フィルム１４としては、５０μｍ  〜２００μｍ  の厚さのポリエチレンフィルムを使用し、樹脂製フィルム１４の内壁面１１ａの表面側は、縞状で平行な、深さが磁性シート１３の厚さの１／２程度のＶ形断面の溝等で凹凸状１４ａに形成するのが好ましく、表面側にシリコーン系、フッ素系、ワックス系、油脂系等の離型剤を塗布するのが更に好ましい。また、裏面側には、上述したように予め接着剤を介して磁性シート１３に貼付けておくものである。
【００１９】
このように、覆い部材１２の基端部１２ａは、磁性シート１３の磁力により全面が密着しているので、気密性に優れ、貯蔵タンク１１の内壁面１１ａの取付け部からの雨水の浸入を確実に防止出来る。また内壁面１１ａと磁性シート１３との間には、凹凸を形成し樹脂製フィルム１４を介在させてあるために、磁性シート１３が溶解して貯蔵タンク１１の内壁面１１ａに接着したり、脱着が困難と言うことがなく、また貯蔵タンク１１の内壁面１１ａと磁性シート１３との間には、樹脂製フィルム１４の厚さに相当する距離だけ離れるが、表面の凹凸と内壁面１１ａの塗膜表面との噛み合い効果により磁着力の低下を少なく出来る。
【００２０】
前記覆い部材１２の表面１２ｃの幅方向Ｘには、図２に示すように長手方向Ｙに沿って所定の間隔で雨水をガイドする断面Ｖ字状のガイド溝１５が形成してあり、また前記磁性シート１３の上縁部１３ａにも、長手方向Ｙに沿って所定の間隔で雨水をガイドする凹状のガイド溝１６が形成してある。更に、磁性シート１３の継ぎ目部１３ｘの上縁部には、前記凹状のガイド溝１６に雨水をガイドする山形状の雨水のガイド部材１７が取付けてある。
【００２１】
このように、覆い部材１２の取付け構造としては、所定の長さに形成された覆い部材１２の基端部１２ａの端面に接着剤等を介して磁性シート１３を貼付け、この磁性シート１３と貯蔵タンク１１の内壁面１１ａとの間に、表面に凹凸部を形成した樹脂製フィルム１４を介在させて着脱、かつスライド可能に取付けることにより、覆い部材１２の設置部の温度条件下での熱融着による磁性シート１３の接着を防止し、貯蔵タンク１１の内壁面１１ａを汚すことなく強固に廂状の覆い部材１２を着脱可能に固定することが出来る。
【００２２】
次に、図４及び図５は、廂状の覆い部材１２の他の実施形態を示す取付け状態の一部断面図と、ＢーＢ矢視正面図を示し、この実施形態は、覆い部材１２の断面形状を、所定の寸法に形成することで、強風時の脱落を有効に防止出来るようにしたものである。
【００２３】
即ち、前記覆い部材１２の断面形状を、上下面１２ｃ，１２ｄとも鉛直下方に傾斜した廂状に形成し、前記磁性シート１３の接着面側の高さＳ１  を、廂状の張出し長さＬ（取付け状態において、水平方向の張出し長さ）と同等以上にすると共に、張出し傾斜面側の高さＳ２  以下に設定するものである。これにより、強風時や風向き等に係わらず取付け強度を高く保つことが出来る。
【００２４】
なお、上記の実施形態について、図８に示すような伸縮試験装置を使用し、ウレタン塗装鋼板上に覆い部材を磁性シートを介して  磁着させ、覆い部材１２の先端を引っ張って磁着面剥離時の荷重試験を行った結果、取付け強度は、従来に比較して約１．６倍〜２．６倍に向上し、剥離形態も従来構造が剥がれたのに対し、この発明の実施形態では滑りとなり、強風時に吹き飛ぶ危険を少なく出来ることが判った。
【００２５】
なお、この実験では、磁性シートの厚さ×タンク内壁面側取付け高さは、従来構造が１ｍｍ×１５０ｍｍであるのに対してこの発明品では、１．５ｍｍ×１６５ｍｍを使用した。
【００２６】
また、この発明の実施例と比較例の荷重試験評価供試体の大きさは、
以下の表１に示す。
【００２７】
【表１】
2004262516.tif 000003
Ｓ１  ：覆い部材の磁性シートとの接着面側の高さ、
Ｓ２  ：覆い部材の張出し傾斜面側の高さ、
Ｌ：覆い部材の廂状の張出し長さ
Ｓ：覆い部材の磁性シートの幅方向の長さ
【００２８】
【発明の効果】
この発明は、上記のように廂状の覆い部材に装着した磁性シートと貯蔵タンクの内壁面との間に樹脂製フィルムを介在させて着脱可能に取付けたので、覆い部材の取付け部における温度条件下での熱融着による磁性シートの接着を防止し、貯蔵タンクの内壁面を汚すことなく強固に廂状の覆い部材を着脱可能に固定することが出来る効果がある。
【００２９】
また、覆い部材の断面形状を、上下面とも鉛直下方に傾斜した廂状に形成し、前記磁性シートの接着面側の高さを、廂状の張出し長さと同等以上で、かつ張出し傾斜面側の高さ以下に設定することで、強風時や風向き等に係わらず取付け強度を高く保つことが出来る効果がある。
【図面の簡単な説明】
【図１】この発明の第１実施形態を示す廂状の覆い部材の取付け状態の一部断面図である。
【図２】図１のＡーＡ矢視正面図である。
【図３】覆い部材の継ぎ目部の拡大正面図である。
【図４】廂状の覆い部材の他の実施形態を示す取付け状態の一部断面図である。
【図５】図４のＢーＢ矢視正面図である。
【図６】従来の大型浮屋根式地下石油貯蔵タンクの一部拡大断面図である。
【図７】従来の大型浮屋根式地上石油貯蔵タンクのタンク内壁面とウェザーシールド先端との隙間を覆う覆い部材の一部拡大断面図である。
【図８】伸縮試験装置を使用した雨滴防止シールドの磁着力試験装置の説明図である。
【符号の説明】
１  貯蔵タンク                      ２  貯蔵タンクの側壁（側板）
２ａ  内壁面                          ３  浮屋根
４  ウェザーシールド                ４ａ  ウェザーシールドの基端部
４ｂ  ウェザーシールドの先端          ５  タンクシール
６  固定金具                                                Ｇ  地盤
Ｗ  貯蔵液（原油等）                Ｈ  隙間
ｈ  隙間
１１  貯蔵タンク                  １１ａ  貯蔵タンクの内壁面
１２  廂状の覆い部材              １２ａ  基端部
１２ｂ  先端部                      １２ｃ  上面
１２ｄ  下面                          １３  磁性シート
１３ａ  磁性シートの上縁部          １３ｘ  磁性シートの継ぎ目部
１４  樹脂製フィルム                １５  ガイド溝
１４ａ  凹凸状                        １６  凹状のガイド溝
１７  ガイド部材                    Ｘ  覆い部材の表面の幅方向
Ｙ  覆い部材の長手方向
Ｓ１  覆い部材の磁性シートとの接着面側の高さ
Ｓ２  覆い部材の張出し傾斜面側の高さ
Ｌ  覆い部材の廂状の張出し長さ
Ｓ  覆い部材の磁性シートの幅方向の長さ
【図１】
2004262516.tif 000004
【図２】
2004262516.tif 000005
【図３】
2004262516.tif 000006
【図４】
2004262516.tif 000007
【図５】
2004262516.tif 000008
【図６】
2004262516.tif 000009
【図７】
2004262516.tif 000010
【図８】
2004262516.tif 000011